(57)【要約】【課題】特別なパンチ穴補強用パッチ貼付器を必要とせず、機器台紙の表面に貼り付けられたパッチをこの台紙から一々手で剥がすことなく、しかもファイルから書類などを外さずファイルに綴ったままで、パッチを書類などの用紙のパンチ穴の周囲にずれることなく簡単容易に貼り付ける。【解決手段】中央にパッチ穴１１が形成されたパッチ１が剥がし易いようにその表面に直列状に複数貼り付けられる台紙２に、貼り付けられる各パッチ１のパッチ穴１１に一致する箇所に台紙穴２１をそれぞれ形成すると共に、少なくとも各台紙穴２１を直列状に通る切取線２２を形成した。【選択図】        図１
0003175950.tif 000002
【実用新案登録請求の範囲】
【請求項１】
中央にパッチ穴が形成されたパッチが剥がし易いようにその表面に直列状に複数貼り付けられる台紙に、貼り付けられる各パッチのパッチ穴に一致する箇所に台紙穴をそれぞれ形成すると共に、少なくとも各台紙穴を直列状に通る切取線を形成したことを特徴とするパンチ穴補修・補強用パッチ貼付台紙。
【請求項２】
台紙の一端から各台紙穴を直列状に通る切取線を形成した請求項１に記載のパンチ穴補修・補強用パッチ貼付台紙。
【請求項３】
直列状に通る切取線は各台紙穴の中心を一直線状に通る切取線からなる請求項１又は請求項２に記載のパンチ穴補修・補強用パッチ貼付台紙。
【請求項４】
細長なテープ状に台紙を形成した請求項１又は請求項２に記載のパンチ穴補修・補強用パッチ貼付台紙。
【請求項５】
請求項４の細長なテープ状に形成した台紙を送り出し自在にロール状に巻取り、当該台紙をその幅方向に切断する台紙カッターを備えたことを特徴とするパンチ穴補修・補強用パッチ貼付台紙付き収納器。
【考案の詳細な説明】
【技術分野】
【０００１】
この考案は、書類などの用紙をファイルに綴じるために用紙の端側にあけられるパンチ穴の周囲を補修・補強すべく貼り付けられるパッチに係り、特に、台紙の表面に貼り付けられたパッチをこの台紙から一々手で剥がすことなく簡単容易に書類などの用紙のパンチ穴の周囲に貼り付けるパンチ穴補修・補強用パッチ貼付台紙及びパンチ穴補修・補強用パッチ貼付台紙付き収納器に関するものである。
【背景技術】
【０００２】
書類などの用紙をファイルに綴じるために用紙の端側にはパンチ穴があけられる。パンチ穴は破れ易いので、パンチ穴の周りを補強するために、パンチ穴の周りにはパッチを貼り付けることがしばしば行われている。パッチは円形の形状をしていて、その中心部分にはパンチ穴と同形のパッチ穴が形成されている。パッチをパンチ穴に貼り付ける場合には、パッチ穴とパンチ穴との開口穴部分が一致してずれないように注意しながら作業をしなければならない。
パッチは書類をコピーする場合にこれが映らないように、一般に透明なものが使用されている。パッチ穴１１１が形成されたパッチ１０１はその裏面側に接着剤が付着されていて、図８に示すように台紙１０２に剥がし易いように貼り付けられて市販されている。そして、台紙の表面に貼り付けられたパッチを、この台紙の表面から一々手で剥がし、それからパンチ穴の周囲に貼り付けている。
【０００３】
ところで、書類などの用紙のパンチ穴の補修・補強をする場合には、ファイルに綴る前に使用するか、既に綴ってあるものは、ファイルから外さなければ使用できなかった。そこで、ファイルから書類を外さずに、パンチ穴の補修・補強ができるパッチとして、実用新案登録第３０７６５２４の「Ｃ字形ビニールパッチ」が出願されている。
また、パッチを台紙から一々手で剥がし、パッチ穴とパンチ穴との開口穴部分が一致してずれないように手で注意しながら行う作業を省略できる機器として、例えば特開平１１−９１２８３の「パンチ穴補強用パッチ貼付器」が出願されている。
【先行技術文献】
【特許文献】
【０００４】
【特許文献１】特開平１１−１３９０６３
【特許文献２】特開２００２−２４８８８４
【特許文献３】実用新案登録第３０７６５２４
【特許文献４】特開平１１−９１２８３
【考案の概要】
【考案が解決しようとする課題】
【０００５】
しかしながら、実用新案登録第３０７６５２４の「Ｃ字形ビニールパッチ」にあっては、ファイルから書類を外さずに、パンチ穴の補修・補強ができる利点がある反面、Ｃ字形であり一部が開口されているため、パンチ穴の全周囲を補修・補強できない欠点がある。しかも、書類のパンチ穴に貼り付ける場合、Ｃ字形ビニールパッチを台紙から一々手で剥がすことが必要であり、さらに、Ｃ字形ビニールパッチを書類のパンチ穴の周囲に貼り付けるときにはＣ字形の開口部分が書類の端側に向かないように貼り付ける必要があり、非常に面倒であると考えられる。
一方、特開平１１−９１２８３の「パンチ穴補強用パッチ貼付器」にあっては、パッチを台紙から一々手で剥がす手間がなく、また、パッチ穴とパンチ穴との開口穴部分が一致してずれないように手で注意しながら行う作業を省略できる反面、書類のパンチ穴の補修・補強を行うためには、ファイルに書類を綴ったままではできず、ファイルから書類を一々外さなければならず面倒である。しかも、パンチ穴補強用パッチ貼付器の軸を書類のパンチ穴に挿入させて、パッチ穴とパンチ穴との開口穴部分が一致してずれないようにする必要があり、面倒であると考えられる。さらに、パンチ穴補強用パッチ貼付器自体が必要であり、又この機器専用のパッチを購入する必要もあり、その分、コストがかかることが予想される。
【０００６】
この考案は、上記のような課題に鑑み、その課題を解決すべく創案されたものであって、その目的とするところは、特別なパンチ穴補強用パッチ貼付器を必要とせず、機器台紙の表面に貼り付けられたパッチをこの台紙から一々手で剥がすことなく、しかもファイルから書類などを外さずファイルに綴ったままで、パッチを書類などの用紙のパンチ穴の周囲にずれることなく簡単容易に貼り付けることができるパンチ穴補修・補強用パッチ貼付台紙及びパンチ穴補修・補強用パッチ貼付台紙付き収納器を提供することにある。
【課題を解決するための手段】
【０００７】
以上の課題を達成するために、請求項１の考案は、中央にパッチ穴が形成されたパッチが剥がし易いようにその表面に直列状に複数貼り付けられる台紙に、貼り付けられる各パッチのパッチ穴に一致する箇所に台紙穴をそれぞれ形成すると共に、少なくとも各台紙穴を直列状に通る切取線を形成した手段よりなるものである。
ここで、好ましくは、請求項２のように台紙の一端から各台紙穴を直列状に通る切取線を形成し、請求項３のように直列状に通る切取線は各台紙穴の中心を一直線状に通る切取線からなり、請求項４のように細長なテープ状に台紙を形成したものがよい。
また、請求項５の考案は、請求項４の細長なテープ状に形成した台紙を送り出し自在にロール状に巻取り、当該台紙をその幅方向に切断する台紙カッターを備えた手段よりなるものである。
【考案の効果】
【０００８】
課題を解決するための手段よりなるこの考案に係るパンチ穴補修・補強用パッチ貼付台紙によれば、書類などをファイルから取り外すことなく、書類などの用紙のパンチ穴に挿通されているファイルの留め具に、台紙に貼り付けられたパッチのパッチ穴及びこの穴に一致する箇所に形成された台紙穴を挿通して、切取線が入った直列方向に台紙を強く引っ張るのみで、台紙は切取線に沿って左右に切断されて、ファイルの留め具から外れて簡単に抜き取ることができる。その一方、台紙の表面に剥がし易いように貼り付けられているパッチは、台紙の表面から外れてそのままファイルの留め具に引っ掛かったままで書類などの用紙のパンチ穴の上側に残る。ファイルの留め具に引っ掛かって残ったパッチを手で上から用紙に向けて押圧するのみで、パッチの裏面が用紙のパンチ穴の周囲に密着する。密着するパッチの裏面には接着剤が付着されているので、パッチを用紙のパンチ穴の周囲に簡単に貼り付けることができる。
このように、書類などをファイルから取り外すことなくファイルに綴ったままで、しかも、専用のパンチ穴補強用パッチ貼付器を用いることなく、簡単容易にパッチを書類などの用紙のパンチ穴の周囲に貼り付けて、そのパンチ穴の周囲をパッチで補修・補強することができる。
また、請求項５のパンチ穴補修・補強用パッチ貼付台紙付き収納器にあっては、上記の効果に加えて、細長いテープ状の台紙が巻き取られているので、コンパクトとなりその取り扱いが容易で、必要な分だけ巻き取り部分から送り出して使用でき、しかも、パッチ１が剥ぎ取られた台紙２は、台紙カッター３２でその都度、切断して除去できるので、台紙２の先端側を常にパッチが貼り付けられた状態にしてこれを送り出して使用可能な状態に維持することができる。
【図面の簡単な説明】
【０００９】
【図１】（Ａ）はこの考案を実施するための形態を示すパンチ穴補修・補強用パッチ貼付台紙の表面図、（Ｂ）は同図（Ａ）の裏面図である。
【図２】（Ａ）はこの考案を実施するための形態を示す複数列のパンチ穴補修・補強用パッチ貼付台紙の表面図、（Ｂ）は同図（Ａ）の裏面図である。
【図３】（Ａ）はこの考案を実施するための形態を示す波形線のパンチ穴補修・補強用パッチ貼付台紙の表面図、（Ｂ）は同図（Ａ）の裏面図である。
【図４】この考案を実施するための形態を示すパンチ穴補修・補強用パッチ貼付台紙付き収納器の斜視図である。
【図５】この考案を実施するための形態を示す二列のパンチ穴補修・補強用パッチ貼付台紙付き収納器の斜視図である。
【図６】この考案を実施するための形態を示すファイルの留め具にパンチ穴補修・補強用パッチ貼付台紙を挿入した状態の斜視図である。
【図７】（Ａ）〜（Ｃ）はこの考案を実施するための形態を示すファイルの留め具にパンチ穴補修・補強用パッチ貼付台紙を挿入して使用状態を説明する斜視図である。
【図８】（Ａ）は従来のパンチ穴補修・補強用パッチ貼付台紙の表面図、（Ｂ）は同図（Ａ）の裏面図である。
【考案を実施するための形態】
【００１０】
以下、図面に記載の考案を実施するための形態に基づいて、この考案をより具体的に説明する。
【００１１】
書類などの用紙ａをファイルｂに綴じるために用紙の端側にはパンチ穴ｃがあけられるが、パッチ１はこのパンチ穴ｃの周囲を補修・補強するために貼り付けられるものである。図１において、パッチ１は平面からみてその外形が例えば円形の形状をしており、その中央には例えば円形のパッチ穴１１が穿設されている。パッチ穴１１は書類などの用紙ａにあけられるパンチ穴ｃと略同形を有している。図面では、パッチ１、パッチ穴１１、及びパンチ穴ｃは何れも円形を有しているが、この形状に限定されるものではない。
【００１２】
書類などの用紙ａの表面のパンチ穴ｃの周囲に密着するパッチ１の裏面には接着剤が付着されていて、この接着剤によって、パッチ１はパンチ穴ｃの周囲に密着して貼り付けられる。パッチ１の裏面に付着されている接着剤には、台紙２の表面２ａから簡単に剥がれ易く、しかも書類などの用紙ａの表面にはしっかりと付着して簡単には剥がれない成分が使用されている。
【００１３】
パッチ１には例えば透明なビニールパッチが使用されるが、パンチ穴ｃの周囲を十分に補修・補強できる特性を有していれば、ビニール樹脂製に限定されるものではない。また、パッチ１は用紙ａの表面に貼り付けた場合に目立たない透明なものが好ましいが、これに限定されるものではない。
【００１４】
台紙２の片面には複数のパッチ１が剥がし易いように貼り付けられている。このため、台紙２の片面となる表面２ａには、パッチ１が簡単に剥がれるように、しかも剥がす際にパッチ１の裏面の接着剤の一部が付着して残らないように、特殊なコーティングが施されていて、いわゆる、つるつるとした滑り易い表面になっている。なお、勿論のことであるが、片面の表面２ａにパッチ１が貼り付けられた台紙２の裏面２ｂにはパッチ１は貼り付けられていない。
【００１５】
複数のパッチ１が剥がし易いように貼り付けられている台紙２には、貼り付けられる各パッチ１のパッチ穴１１に一致する箇所に台紙穴２１がそれぞれ形成されている。この台紙穴２１はパッチ穴１１と同形の例えば円形である。パッチ穴１１と台紙穴２１とは完全に一致していて、パッチ穴１１の外周縁の裏面２ｂの一部が台紙穴２１の一部を塞ぐことがないようには貼り付けられている。
【００１６】
パッチ穴１１は台紙２の一方向に直列状の例えば一直線状になるように形成されている。なお、図２に示すように、一方向に直列状に形成されたパッチ穴１１が、その一方向の幅方向に複数列になって、同様に形成されることもある。
【００１７】
複数のパッチ１が剥がし易いように貼り付けられている台紙２には、台紙２の一端或いは台紙２の両端から各台紙穴２１を直列状に通る切取線２２が形成されている。切取線２２は表面２ａ及び裏面２ｂの双方を貫通するように形成されている。直列状に通る切取線２２は、各台紙穴２１の中心を一直線状に通る切取線２２からなっているのが好ましいが、少しずれていてもよい。
【００１８】
また、台紙２に形成された各台紙穴２１を直列状に通る切取線２２については、この直列状が一直線以外の図３に示すように例えば波形線であってもよい。この切取線２２を境にして、台紙２は左右に切断可能となる。このとき各台紙穴２１は穴を中心としてその周囲も左右に切断される。
【００１９】
つまり、ファイルｂの留め具ｄに台紙穴２１が挿通されている台紙２を手前に強く引くと、ファイルｂの留め具ｄによって、台紙穴２１は切取線２２の部分から左右に切断されて、台紙２をファイルｂの留め具ｄから外すことができる。このとき、台紙穴２１の周囲に貼り付けられているパッチ１は、台紙２から剥がれてファイルｂの留め具ｄに引っ掛かったままで残る。
【００２０】
なお、台紙２には、一列に各パッチ１が直列状に貼り付けられ、また一列の各パッチ穴１１が直列状に形成されているが、各パッチ１が直列状に貼り付けられたものがその幅方向に二列以上、また各パッチ穴１１が直列状に形成されたものがその幅方向に二列以上あるものでもよい。
【００２１】
複数のパッチ１が剥がし易いように貼り付けられている台紙２は、図４に示すように細長なテープ状に形成されているものもある。このテープ状の台紙２には、一列に各パッチ１が直列状に貼り付けられ、また一列の各パッチ穴１１が直列状に形成されている。ただ、テープ状の台紙２の中には、各パッチ１が直列状に貼り付けられたものがその幅方向に二列以上、また各パッチ穴１１が直列状に形成されたものがその幅方向に二列以上(図５参照）あるものでもよい。
【００２２】
また、図４、図５に示すようにパンチ穴補修・補強用パッチ貼付台紙付き収納器３は、細長なテープ状に形成した台紙２を送り出し自在にロール状に巻き取られたものを収納する収納ボックス３１と、当該台紙２をその幅方向に切断する台紙カッター３２を備えた構造からなっている。台紙カッター３２は収納ボックス３１の設けられた台紙送出口３３の上辺或いは下辺に設けられている。
【００２３】
次に、上記考案を実施するための形態の構成に基づく作用について以下説明する。
図６、図７に示すように、書類などの用紙ａのパンチ穴ｃに挿通されているファイルｂの留め具ｄに、台紙２に貼り付けられたパッチ１のパッチ穴１１及びこの穴１１に一致する箇所に形成された台紙穴２１を挿通し（図６、図７（Ａ）参照）、台紙２を手で下側に押して用紙ａの表面に位置させる（図７（Ｂ）参照）。
【００２４】
この状態で、台紙２を切取線２２が入った直列方向に強く引っ張る。ファイルｂの留め具ｄはこれが挿通されている台紙穴２１の前方側に向けて相対的に移動すべく、台紙穴２１の前端を押圧する。台紙穴２１の中央前方側の台紙２には切取線２２が形成されているので、台紙穴２１の縁にある切取線２２の先端はファイルｂの留め具ｄの押圧によって、左右に切断されて切り開かれる。このようにして、台紙２を切取線２２が入った直列方向に強く引っ張るのみで、台紙２は切取線２２に沿って左右に切断されて、ファイルｂの留め具ｄから外れて簡単に抜き取ることができる（図７（Ｃ）参照）。
【００２５】
その一方、台紙２の表面に剥がし易いように貼り付けられているパッチ１は、台紙２の表面２ａから外れてそのままファイルｂの留め具ｄに引っ掛かったままで、書類などの用紙ａのパンチ穴ｃの上側に残る。ファイルｂの留め具ｄに引っ掛かって残ったパッチを手で上から用紙ａに向けて押圧するのみで、パッチ１の裏面が用紙ａのパンチ穴ｃの周囲に密着する。密着するパッチの裏面には接着剤が付着されているので、パッチ１を用紙ａのパンチ穴ｃの周囲に接着剤の働きよって簡単に貼り付けることができる（図７（Ｃ）参照）。
【００２６】
図４，図５に示すパンチ穴補修・補強用パッチ貼付台紙付き収納器３を使用する場合には、細長いテープ状の台紙２が巻き取られている収納ボックス３１の台紙送出口３３から、パッチ１が貼り付けられているテープ状の台紙２を取り出して、書類などの用紙ａのパンチ穴ｃに挿通されているファイルｂの留め具ｄに、テープ状の台紙２に貼り付けられたパッチ１のパッチ穴１１及びこの穴１１に一致する箇所に形成された台紙穴２１を挿通し、テープ状の台紙２を手で下側に押して用紙ａの表面に位置させる。
【００２７】
この状態で、テープ状の台紙２を切取線２２が入った直列方向に強く引っ張る。ファイルｂの留め具ｄはこれが挿通されている台紙穴２１の前方側に向けて相対的に移動すべく、台紙穴２１の前端を押圧する。台紙穴２１の中央前方側のテープ状の台紙２には切取線２２が形成されているので、台紙穴２１の縁にある切取線２２の先端はファイルｂの留め具ｄの押圧によって、左右に切断されて切り開かれる。このようにして、テープ状の台紙２を切取線２２が入った直列方向に強く引っ張るのみで、テープ状の台紙２は切取線２２に沿って左右に切断されて、ファイルｂの留め具ｄから外れて簡単に抜き取ることができる（図７（Ｃ）参照）。
【００２８】
パッチ１が剥ぎ取られたテープ状の台紙２の先端側は、台紙送出口３３に設けられた台紙カッター３２でその都度、切断して除去する。これにより、テープ状の台紙２の先端側を常にパッチ１が貼り付けられた状態にして、使用可能な状態にする。
【００２９】
なお、この考案は上記考案を実施するための形態に限定されるものではなく、この考案の精神を逸脱しない範囲で種々の改変をなし得ることは勿論である。
【符号の説明】
【００３０】
１    パッチ
１１    パッチ穴
２    台紙
２ａ  表面
２ｂ  裏面
２１    台紙穴
２２    切取線
３    パンチ穴補修・補強用パッチ貼付台紙付き収納器
３１    収納ボックス
３２    台紙カッター
３３    台紙送出口
ａ    用紙
ｂ    ファイル
ｃ    パンチ穴
ｄ    留め具
【図１】
0003175950.tif 000003
【図２】
0003175950.tif 000004
【図３】
0003175950.tif 000005
【図４】
0003175950.tif 000006
【図５】
0003175950.tif 000007
【図６】
0003175950.tif 000008
【図７】
0003175950.tif 000009
【図８】
0003175950.tif 000010